(57)【要約】【課題】  モジュールのパフォーマンスを抑制することなく高速駆動可能としたうえで、不要輻射ノイズが無線通信に対して悪影響を及ぼす不都合を防止する。【解決手段】  制御部１５は、システムコントローラ１３からＴＤＭＡ起動通知信号が供給されるまでの間は、ハードディスク装置９を高速モードで駆動制御するが、ＴＤＭＡ起動通知信号が供給されると、間欠受信を行うように通信回路２を制御すると共に、それまで高速モードで駆動制御していたハードディスク装置９を、この間欠受信が終了するまでの間、低速モードで駆動制御する。これにより、非間欠受信時はハードディスク装置９を高パフォーマンスで使用することができ、また、間欠受信時には、ハードディスク装置９のパフォーマンスを抑制することで不要輻射ノイズの発生を防止して間欠受信に悪影響が及ぶ不都合を防止することができる。【選択図】  図３
2007088787.tif 000002
【特許請求の範囲】
【請求項１】
無線通信を行う無線通信手段と、
無線通信時及び非無線通信時の判別を行う通信／非通信判別手段と、
高速有線インターフェイスを介して接続された所定のモジュールと、
上記通信／非通信判別手段で非無線通信時であることが検出されている間、上記モジュールを高速モードで駆動制御し、上記通信／非通信判別手段で無線通信時であることが検出されている間、無線通信を行うように上記無線通信手段を制御すると共に、上記モジュールを低速モードで駆動制御する制御手段と
を有する無線通信装置。
【請求項２】
請求項１に記載の無線通信装置であって、
上記通信／非通信判別手段は、間欠受信時及び非間欠受信時の判別を行うこと
を特徴とする無線通信装置。
【請求項３】
請求項１又は請求項２に記載の無線通信装置であって、
上記制御手段は、上記高速モード時においては、上記モジュールに対する通信速度を高通信速度とし、及び／又は、上記モジュールのバッファ回路のドライブ能力を高ドライブアビリティとし、上記低速モード時においては、上記モジュールに対する通信速度を低通信速度とし、及び／又は、上記モジュールのバッファ回路のドライブ能力を低ドライブアビリティとすること
を特徴とする無線通信装置。
【請求項４】
請求項１から請求項３のうち、いずれか一項に記載の無線通信装置であって、
上記モジュールは、音楽データが記憶されたハードディスク装置であり、
上記ハードディスク装置から読み出された音楽データを再生処理する再生手段と、
上記ハードディスク装置から読み出された音楽データを一時的に記憶する一時記憶手段とを有し、
上記制御手段は、上記通信／非通信判別手段で非無線通信時であることが検出されている間、上記ハードディスク装置を高速モードで駆動制御することで読み出された音楽データを直接的に上記再生手段に供給制御し、上記通信／非通信判別手段で無線通信時であることが検出されている間、上記ハードディスク装置を低速モードで駆動制御することで読み出された音楽データを上記一時記憶手段に供給制御すると共に、上記高速モード時にハードディスク装置から読み出される音楽データの読み出し速度と、低速モード時にハードディスク装置から読み出される音楽データの読み出し速度との速度差を補正して上記一時記憶手段から読み出した音楽データを上記再生手段に供給制御すること
を特徴とする無線通信装置。
【請求項５】
通信／非通信判別手段が、無線通信を行う無線通信手段における無線通信時及び非無線通信時の判別を行うステップと、
上記ステップで、上記通信／非通信判別手段により非無線通信時であることが検出されている間、制御手段が、高速有線インターフェイスを介して接続された所定のモジュールを高速モードで駆動制御するステップと、
上記ステップで、上記通信／非通信判別手段により無線通信時であることが検出されている間、制御手段が、無線通信を行うように上記無線通信手段を制御すると共に、上記モジュールを低速モードで駆動制御するステップとを有し、
上記無線通信時に上記モジュールを低速モードで駆動制御することで、上記高速有線インターフェイスから発生する不要輻射を低減すること
を特徴とする不要輻射の低減方法。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）等の無線通信機能を備えた無線通信装置及び不要輻射の低減方法に関し、特に無線通信を行う間、高速有線インターフェイスを介して接続されたモジュールを低速駆動することで、高速有線インターフェイスから発生する不要輻射ノイズを抑制し、該不要輻射ノイズが無線通信に対して悪影響を及ぼす不都合を防止した無線通信装置及び不要輻射の低減方法に関する。
【背景技術】
【０００２】
携帯電話機等の無線通信機器に、例えば高速バスライン、高速シリアルデータライン等の高速有線インターフェイスが設けられている場合、この高速有線インターフェイスから発生する不要輻射ノイズが無線通信に対して悪影響を及ぼすことが知られている。
【０００３】
このため、従来の無線通信機器には、上記高速有線インターフェイスに対してコンデンサやＥＭＩフィルタ（EMI：Electro Magnetic Interference）を設けるようになっており、このコンデンサやＥＭＩフィルタで制御クロックやデータクロック等のクロック波形を鈍らせることで、当該クロックに重畳する高周波成分を低減させて不要輻射ノイズを抑制し、無線通信に及ぶ悪影響を防止している。
【０００４】
ここで、今日において普及している携帯電話機には、例えば液晶表示装置（LCD：Liquid Crystal Display）やカメラ装置等の高速クロックで動作させるモジュールが設けられており、さらに大容量メモリとしてハードディスク装置も設けられつつある。そして、このハードディスク装置も、高速クロックで動作させるモジュールの一つとなる。
【０００５】
【特許文献１】特開平２０００−１４８２７８号公報（第３頁〜第４頁：図１）
【発明の開示】
【発明が解決しようとする課題】
【０００６】
しかし、コンデンサやＥＭＩフィルタでクロック波形を鈍らせることで不要輻射ノイズの低減を図る場合、クロックが高速になればなるほど、上記クロック波形が鈍ることで該クロックの立ち上がり及び立ち下がりが中途半端なものとなり（＝クロックが立ち上がり切らず、及び立下がり切らず）、信号の判別が困難となり該信号の信頼性が落ちる問題を生ずる。このため、上記クロックを鈍らせて高周波成分の低減を図る場合には、高速駆動が可能なモジュールを中速程度に抑えて駆動する等の、該モジュールのパフォーマンスを抑制して使用せざるを得ない不都合を生じていた。
【０００７】
なお、携帯電話機のメーカは、上記液晶表示装置、カメラ装置、ハードディスク装置等の各モジュールを、それぞれ独立した一つの部品として製造或いは購入し、これら各モジュールをそれぞれ基板に取り付けることで携帯電話機を組み立てて製造するようになっている。このため、携帯電話機のメーカが携帯電話機の設計を行う段階で、上記各部品を駆動した際の不要輻射ノイズを想定してその対策を施すことは、現状では困難となっている。
【０００８】
本発明は上述の課題に鑑みてなされたものであり、モジュールのパフォーマンスを抑制することなく高速駆動可能としたうえで、不要輻射ノイズが無線通信に対して悪影響を及ぼす不都合を防止した無線通信装置及び不要輻射の低減方法の提供を目的とする。
【課題を解決するための手段】
【０００９】
本発明に係る無線通信装置は、上述の課題を解決するための手段として、
無線通信を行う無線通信手段と、
無線通信時及び非無線通信時の判別を行う通信／非通信判別手段と、
高速有線インターフェイスを介して接続された所定のモジュールと、
上記通信／非通信判別手段で非無線通信時であることが検出されている間、上記モジュールを高速モードで駆動制御し、上記通信／非通信判別手段で無線通信時であることが検出されている間、無線通信を行うように上記無線通信手段を制御すると共に、上記モジュールを低速モードで駆動制御する制御手段と
を有する。
【００１０】
また、本発明に係る不要輻射の低減方法は、上述の課題を解決するための手段として、
通信／非通信判別手段が、無線通信を行う無線通信手段における無線通信時及び非無線通信時の判別を行うステップと、
上記ステップで、上記通信／非通信判別手段により非無線通信時であることが検出されている間、制御手段が、高速有線インターフェイスを介して接続された所定のモジュールを高速モードで駆動制御するステップと、
上記ステップで、上記通信／非通信判別手段により無線通信時であることが検出されている間、制御手段が、無線通信を行うように上記無線通信手段を制御すると共に、上記モジュールを低速モードで駆動制御するステップとを有する。
【００１１】
そして、上記無線通信時に上記モジュールを低速モードで駆動制御することで、上記高速有線インターフェイスから発生する不要輻射を低減する。
【００１２】
このような本発明は、非無線通信時においては、所定のモジュールを高速モードで駆動制御することで、該モジュールが本来有するパフォーマンスを抑制することなく使用可能とする。また、無線通信時においては、所定のモジュールを低速モードで駆動制御することで、該モジュールを高速駆動した際に上記高速有線インターフェイスから不要輻射が発生する不都合を防止し、この不要輻射が通信に与える悪影響を防止する。
【発明の効果】
【００１３】
本発明は、モジュールのパフォーマンスを抑制することなく高速駆動可能としたうえで、不要輻射ノイズが無線通信に対して悪影響を及ぼす不都合を防止することができる。
【発明を実施するための最良の形態】
【００１４】
本発明は、携帯電話機に適用することができる。
【００１５】
［携帯電話機の構成］
この本発明の実施の形態となる携帯電話機は、図１に示すように無線基地局との間で無線通信を行うアンテナ１及び通信回路２と、着信音や受話音声の音響出力を得るためのスピーカ部３と、送話音声等を集音するためのマイクロホン部４と、画像（動画像、静止画像等）や文字等を表示するための液晶表示部５と、所定の入力操作を行うための操作部６と、発着信等を光で知らせるための発光部７（LED：Light Emitting Diode）と、所望の被写体の静止画像或いは動画像を撮像するためのカメラ部８と、このカメラ部８で撮像された静止画像、動画像や音楽データ等を記憶するための大容量のハードディスク装置９とを有している。
【００１６】
また、この携帯電話機は、音楽プレーヤアプリケーションプログラムに基づいて音楽データの再生処理を行う音楽データ処理部１０と、音楽データを一時的に記憶し、順次音楽データ処理部１０に供給する一時記憶メモリ１１と、所定周波数のシステムクロックを発生する発振器１２と、着信待ち受け時において発振器１２からシステムクロックをカウントすることで、間欠受信（TDMA：Time Division Multiple Access）を行う際のトリガとなるＴＤＭＡ起動通知信号を出力するシステムコントローラ１３とを有している。
【００１７】
また、この携帯電話機は、通信処理を行うための通信処理プログラム（コミュニケーションプログラム）の他、カメラ部８の撮像動作を制御するためのカメラアプリケーションプログラム、音楽データの再生を行うための音楽プレーヤアプリケーションプログラム等の各種アプリケーションプログラムや、携帯メールの文章データ、スケジュール帳、電話帳、アドレス帳等が記憶されたメモリ１４と、当該携帯電話機全体の動作を制御する制御部１５とを有している。
【００１８】
液晶表示部５、カメラ部８、及びハードディスク装置９等は、高周波数のクロックで動作する高速モジュールとなっており、例えばフレキシブル基板等の高速有線インターフェイスを介して制御ライン及びデータラインに接続されている。
【００１９】
［間欠受信時における高速モジュールの駆動速度切り替え動作］
このような携帯電話機は、例えば間欠受信時等の通信時となった際に、高速モジュールのクロックの速度を低速クロックに切り替え、及び（又は）バッファ回路のドライブ能力を低ドライブアビリティに切り替えることで、高速有線インターフェイスから発生する不要輻射ノイズを抑制し、この不要輻射ノイズが通信に対して悪影響を及ぼす不都合を防止している。
【００２０】
図２のフローチャートに、間欠受信時等における高速モジュールの駆動速度の切り替え処理の流れを示す。なお、以下、上記高速モジュールとして、上記ハードディスク装置９の駆動速度を切り替え処理する場合を例として説明を行うが、ハードディスク装置９以外の他の高速モジュールに対する動作も同様である。このため、以下の説明を参照されたい。
【００２１】
まず、この図２に示すフローチャートは、当該携帯電話機のメイン電源が投入されることでスタートとなりステップＳ１から処理を実行する。ステップＳ１では、制御部１５が、システムコントローラ１３から間欠受信の実行開始を指定するためのＴＤＭＡ起動通知信号が供給されたか否かを判別する。
【００２２】
具体的には、当該携帯電話機は、着信待ち受け時においては、所定時間置きに基地局との間で通信を行うことで消費電力の低減を図る間欠受信を行うようになっている。図３に示すシステムコントローラ１３は、発振器１２から供給されるシステムクロックをカウントすることで、この間欠受信を行う間隔を監視しており、該間欠受信を行う時刻となった際に、ＴＤＭＡ通知信号を制御部１５に供給する。
【００２３】
ステップＳ１では、制御部１５が、システムコントローラ１３からこのＴＤＭＡ起動通知信号が供給されたか否かを判別しており、ＴＤＭＡ起動通知信号が供給されたタイミングで処理をステップＳ３に進め、ＴＤＭＡ起動通知信号が供給されていない場合は処理をステップＳ６に進める。
【００２４】
ステップＳ６では、ＴＤＭＡ起動通知信号が供給されていないため、制御部１５は、この場合の高速モジュールであるハードディスク装置９の起動が指定されたか、或いはハードディスク装置９が駆動中であるか否かを判別する。そして、ハードディスク装置９の起動が指定されていない場合、或いはハードディスク装置９が停止中である場合は、処理をステップＳ１に戻し、上述のＴＤＭＡ起動通知信号の供給の有無の監視を継続して行う。
【００２５】
これに対して、ハードディスク装置９の起動が指定された場合、或いはハードディスク装置９が駆動中である場合は処理をステップＳ７に進める。この場合、ＴＤＭＡ起動通知信号が供給されていないため、当該携帯電話機は非通信時であり、ハードディスク装置９を高速駆動しても不要輻射ノイズが通信処理に悪影響を及ぼすことはない。このため、制御部１５は、起動が指定されたハードディスク装置９を高速モードで駆動制御し、或いは高速モードで駆動中のハードディスク装置９を、そのまま高速モードで駆動制御して処理をステップＳ１に戻す。
【００２６】
一方、上記ステップＳ１において、ＴＤＭＡ起動通知信号の供給を検出した場合、制御部１５は、ステップＳ２に処理を進め、基地局との間で所定の間欠受信動作を行うように通信回路２を通信制御して処理をステップＳ３に進める。
【００２７】
ステップＳ３では、この場合の高速モジュールであるハードディスク装置９の起動が指定されたか、或いはハードディスク装置９が駆動中であるか否かを判別する。そして、ハードディスク装置９の起動が指定されていない場合、或いはハードディスク装置９が停止中である場合は、処理をステップＳ５に進め、間欠受信の終了を待って処理をステップＳ１に戻す。
【００２８】
これに対して、上記ステップＳ３において、ハードディスク装置９の起動の指定を検出し、或いはハードディスク装置９が駆動中であると判別した場合、制御部１５は、処理をステップＳ４に進める。この場合、ＴＤＭＡ起動通知信号が供給され、当該携帯電話機は間欠受信の通信中であり、ハードディスク装置９を高速駆動すると不要輻射ノイズが通信処理に悪影響を及ぼすおそれがある。このため、制御部１５は、起動が指定されたハードディスク装置９を低速モードで駆動制御し、或いは高速モードで駆動中のハードディスク装置９を低速モードに切り替えて駆動制御して処理をステップＳ５に進める。そして、ステップＳ５に進め、間欠受信の終了を待って処理をステップＳ１に戻す。
【００２９】
これにより、間欠受信中は、ハードディスク装置９を低速モードで駆動することができるため、間欠受信中に、ハードディスク装置９に接続された高速有線インターフェイスから不要輻射ノイズが発生する不都合を防止することができ、該不要輻射ノイズが間欠受信の通信に悪影響を及ぼす不都合を防止することができる。
【００３０】
〔高速モード及び低速モード〕
図４（ａ）〜（ｃ）に、間欠受信のタイミングと、高速モード及び低速モードの切り替えのタイミングを示す。図４（ａ）は間欠受信のタイミングを示しており、「ＯＮ」となっている間が間欠受信を行っている時間を示し、「ＯＦＦ」となっている間が間欠受信を行っていない時間を示している。また、図４（ｂ）は、ハードディスク装置９に対する通信速度を、図４（ｃ）は、ハードディスク装置９のバッファ回路のドライブ能力をそれぞれ示している。
【００３１】
この図４（ａ）〜（ｃ）からわかるように、間欠受信が行われていない間、制御部１５は「高速モード」となり、ハードディスク装置９に対する通信速度を高速とし、また、ハードディスク装置９のバッファ回路のドライブ能力を高ドライブアビリティとする。これにより、本来備えている高パフォーマンスを抑制することなくハードディスク装置９を使用することができる。
【００３２】
これに対して、間欠受信中となると制御部１５は「低速モード」となり、ハードディスク装置９に対する通信速度を低速とし、また、ハードディスク装置９のバッファ回路のドライブ能力を低ドライブアビリティとする。これにより、ハードディスク装置９が本来備えているパフォーマンスがある程度抑制されることとなるが、ハードディスク装置９に接続された高速有線インターフェイスから不要輻射ノイズが発生する不都合を防止することができ、該不要輻射ノイズが間欠受信の通信に悪影響を及ぼす不都合を防止することができる。
【００３３】
なお、この例では、図４（ａ）に示す通信速度と図４（ｂ）に示すドライブ能力の制御を併用して行うこととしたが、これは、通信速度の制御及びドライブ能力の制御のうち、いずれか一方の制御のみを行うようにしてもよい。
【００３４】
〔低速モード時における音楽データの再生処理〕
次に、音楽プレーヤアプリケーションプログラムに基づいて、ハードディスク装置９に記憶されている音楽データの再生を行う場合、制御部１５は、上記「高速モード」時においては、ハードディスク装置９を高速駆動することで該ハードディスク装置９から読み出した音楽データを直接的に音楽データ処理部１０に供給するのであるが、上記間欠受信時に「低速モード」に移行した場合、この「低速モード」の間（＝間欠受信の間）、ハードディスク装置９から読み出した音楽データを一時記憶メモリ１１に一旦記憶制御し、この一時記憶メモリ１１に記憶された音楽データの読み出し速度を調整して音楽データ処理部１０に供給する。
【００３５】
すなわち、制御部１５は、高速モード時にハードディスク装置９から読み出される音楽データの読み出し速度と、低速モード時にハードディスク装置９から読み出される音楽データの読み出し速度との速度差を補正するように、一時記憶メモリ１１の読み出し速度を制御する。これにより、高速モードから低速モードに移行することで、ハードディスク装置９から読み出される音楽データの読み出し速度が低下しても、音楽データ処理部１０に供給される音楽データの供給速度は常に一定速度となるように制御することができ、再生する音楽データの連続性を担保することができる。
【００３６】
［実施の形態の効果］
以上の説明から明らかなように、この実施の形態の携帯電話機は、当該携帯電話機（通信回路２）が間欠受信中であるか否かを判別し、非間欠受信中はハードディスク装置９等の高速モジュールを高速で駆動制御し、間欠受信中は上記高速モジュールを低速モードで駆動する。これにより、間欠受信中に、高速モジュールに接続された高速有線インターフェイスから不要輻射ノイズが発生する不都合を防止することができるため、該不要輻射ノイズが間欠受信の通信に悪影響を及ぼす不都合を防止することができる。また、非間欠受信中は、高速モジュールを高速で駆動することができるため、高速モジュールが本来備えている高いパフォーマンスを抑制することなく、該高速モジュールを使用可能とすることができる。
【００３７】
［変形例］
上述の実施の形態の説明では、本発明を携帯電話機に適用することとしたが、本発明は、この他、ＰＨＳ電話機（PHS：Personal Handyphone System）、ＰＤＡ装置（PDA：Personal Digital Assistant），ノート型のパーソナルコンピュータ装置等の他の携帯端末装置に適用してもよい。この場合でも上述と同様の効果を得ることができる。
【００３８】
また、間欠受信中に上述の高速モードと低速モードの切り替え制御を行うこととしたが、これは、通話中や携帯メールの送受信中等の通常の「通信時」においても有効であり、この場合でも上述と同様の効果を得ることができるものと理解されたい。
【００３９】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００４０】
【図１】本発明を適用した実施の形態となる携帯電話機のブロック図である。
【図２】実施の形態の携帯電話機の間欠受信時における高速モジュールの駆動速度の切り替え制御の流れを説明するためのフローチャートである。
【図３】間欠受信時における高速モジュールの駆動速度の切り替え制御を説明するための、実施の形態の携帯電話機の要部のブロック図である。
【図４】実施の形態の携帯電話機の間欠受信時における高速モジュールの駆動速度の切り替え制御を説明するためのタイムチャートである。
【符号の説明】
【００４１】
１  アンテナ、２  通信回路、３  スピーカ部、４  マイクロホン部、５  液晶表示部、６  操作部、７  発光部（ＬＥＤ）、８  カメラ部、９  ハードディスク装置、１０  音楽データ処理部、１１  一時記憶メモリ、１２  発振器、１３  システムコントローラ、１４  メモリ、１５  制御部
【図１】
2007088787.tif 000003
【図２】
2007088787.tif 000004
【図３】
2007088787.tif 000005
【図４】
2007088787.tif 000006